(57)【要約】【課題】上下方向又は横方向への嵩張りを抑え、バネの復元力を維持し、圧縮状態での屈曲部の嵩張りを抑え、商品押出具の脱落紛失を防止する。【解決手段】板状部３を側面から見てジグザグ状に連ねてなるジグザグ板バネ２を要素とし、長手方向からの圧縮状態において、基端側Ｂから先端側Ａへの復元押出力が付与された商品押出具１において、ジグザグ板バネ２には、その長手方向中心軸線Ｘに沿って、略螺旋形状されるとともにその中心部は中心軸線Ｘに沿って連続する挿通孔４が形成され、ジグザグ板バネ２のジグザグ状屈曲部５の近傍には、屈曲部５の屈曲に略沿った形状の補強部１７が介設され一体に連結されていることを特徴とする。【選択図】        図１
2004215700.tif 000002
【特許請求の範囲】
【請求項１】
側面から見てジグザグ状に連ねてなるジグザグ板バネを要素とし、長手方向からの圧縮状態において、基端側から先端側への復元押出力が付与された商品押出具において、
前記ジグザグ板バネは、その長手方向中心軸線に沿って、略螺旋形状とされるとともにその中心部には、該中心軸線に沿って連続する挿通孔が形成され、
前記ジグザグ板バネのジグザグ状屈曲部の近傍には、該屈曲部の屈曲に略沿った形状の補強部が介設されて一体に連結されていることを特徴とする吊下形商品押出具。
【請求項２】
前記ジグザグ板バネの両端部には、前記中心軸線に対し、略直角方向となるように、押出部と掛止部が設けられ、押出部には前記挿通孔と連続する貫通孔が形成され、
前記掛止部には前記挿通孔と連続し、且つ略凹欠状の切欠部が形成されていることにより略二叉フック状とされていることを特徴とする請求項１記載の吊下形商品押出具。
【請求項３】
略水平方向に延出されている吊下形商品吊り下げ用のフック棒と、
板状部を側面から見てジグザグ状に連ねてなるジグザグ板バネを要素とし、長手方向からの圧縮状態において、基端側から先端側への復元押出力が付与された商品押出具と、を具備し、
前記ジグザグ板バネは、その長手方向中心軸線に沿って、略螺旋形状されるとともにその中心部には、該中心軸線に沿って連続する挿通孔が形成され、
前記ジグザグ板バネのジグザグ状屈曲部の近傍には、該屈曲部の屈曲に略沿った形状の補強部が介設されて一体に連結されており、
前記商品押出具の前記挿通孔に前記フック棒が挿通されることにより、該商品押出具がフック棒に保持されていることを特徴とする吊下形商品陳列装置。
【発明の詳細な説明】
【０００１】
【発明の属する技術分野】
本発明は、整列して吊り下げられている陳列商品等の物品が容易に客の目に付き、手に取れるようにした吊下形商品押出具及び同商品陳列装置に関するものである。
【０００２】
【従来の技術】
この種の押出具における従来技術として、図５及び図６に示す下記特許文献１に開示されるように、単位板状部材１１０を連ねる山部１１２ａと屈曲部分の谷部１１２ｂが繰り返し設けられているジグザグ板ばね１０１を使用したものがあった。また、このジグザグ板ばね１０１を用いた押出具についても様々なものがあった。そのうちの一つに、図５に示すように、ジグザグ屈曲部１１２の各々に挿通切欠１１３が設けられており、かつジグザグ中途の直線部の両側縁に、一対の挿通切欠１１４が設けられており、単位板状体１１０の幅方向の中央平坦部にも挿通孔１１１が設けられて押出具を形成しているものがあった。
【０００３】
さらに、図６に示すように、単位板状部材１１０が平坦ではなく曲面によって形成された特定の形状をなし、この単位板状体１１０を連ねる山部１１２ａと屈曲部分１１２ｂの谷部が繰り返して設けられている押出具などもあった。
【０００４】
【特許文献１】
特許第２７８６８４４号公報
【０００５】
【発明が解決しようとする課題】
しかしながら、上述した従来の商品押出具である特許文献１のような押出具では、図５に示すように、平行棒２００，ダブルフック棒２０１，シングルフック棒２０２など様々な商品吊下用部材に対応させているため、単位板状体１１０に複数の挿通切欠１１３，１１４や挿通孔１１１が形成されている。そのため単位板状体１１０の耐久性を弱化させている。特に屈曲部１１２に挿通切欠１１３が形成されていることによって、押出具の復元力を弱めるという問題があった。
【０００６】
また、押出具の圧縮状態において、上下方向に延出して嵩張るという問題もあった。さらに、強力な復元力を得るために屈曲部１１２を肉厚に形成されていることによっても、各屈曲部１１２間が密着し難く、隙間が空間ロスになるという問題があった。また、挿通切欠１１３によってフック棒へ押出具を吊下させた状態に取り付けているため、下向きへ引っ張ることによって容易に取り外すことができるという利点の反面、脱落紛失の虞があった。
【０００７】
そこで本発明は、上記課題を解消するために、上下方向または横方向への嵩張りを抑え、屈曲部への負担を減らしてバネの復元力を維持し、商品押出具の圧縮状態において屈曲部の嵩張りを抑えることができ、脱落紛失を防止し、単純で簡素な構造となる吊下形商品押出具及び同商品陳列装置を提供することを目的としている。
【０００８】
【課題を解決するための手段】
次に、上記の課題を解決するための手段を、実施の形態に対応する図面を参照して説明する。
この発明の吊下形商品押出具は、板状部３を側面から見てジグザグ状に連ねてなるジグザグ板バネ２を要素とし、長手方向からの圧縮状態において、基端側Ｂから先端側Ａへの復元押出力が付与された商品押出具１において、
前記ジグザグ板バネ２は、その長手方向中心軸線Ｘに沿って、略螺旋形状とされるとともにその中心部には、該中心軸線Ｘに沿って連続する挿通孔４が形成され、
前記ジグザグ板バネ２のジグザグ状屈曲部５の近傍若しくは少なくとも一部には、該屈曲部５の屈曲内面（又は外面）に略沿った、例えば略三角形状の小ブロック状の補強部１７が介設されて一体に連結されていることを特徴とする。
【０００９】
このような商品押出具によれば、商品押出具１を構成するジグザグ板バネ２は、そのジグザグ状屈曲部５の少なくとも一部が屈曲内面に略沿った略三角形状の補強部１７を介して一体に連続されているところから、圧縮状態において、屈曲部５の存在により屈曲部が重合密着せず、その下方が重合状態となるところから、補強部１７がバネとなり、十分な反発力が得られ、長期の使用においても屈曲部５が折れたり、疲労により反発力が弱くなったりすることがない。
【００１０】
また、この発明の吊下形商品押出具によれば、前記ジグザグ板バネ２の両端部には、前記中心軸線Ｘに対し、略直角方向となるように、押出部６と掛止部８が設けられ、押出部６には前記挿通孔４と連続する貫通孔１８が形成され、前記掛止部８には、前記挿通孔４と連続し、且つ略凹欠状の切欠部１９が形成されていることにより略二叉フック状とされていることを特徴とする。
【００１１】
このような商品押出具によれば、押出部６によって、吊下形商品２０を確実に先端側Ａへ押し出すことができる。
また、掛止部８によって、商品押出具１の端部を基端側Ｂに容易に挿入して掛止させることができる。
【００１２】
さらに、本発明の吊下形商品押出具によれば、板状部３をジグザグに連ねてなるジグザグ板バネ２を要素とし、長手方向からの圧縮状態において、基端側から先端側への復元押出力が付与された商品押出具１において、
前記ジグザグ板バネ２の中心軸線Ｘを境界線として、前記板状部３を一方に配列している一方の半部２ａと、前記板状部を他方に配列している他方の半部２ｂと、前記一方の半部２ａと前記他方の半部２ｂとを構成する前記板状部３が互い違いに接続され、形成されている屈曲部５と、前記板状部３の前記中心軸線Ｘ側の側縁３ａ，３ｂに形成され、該中心軸線Ｘに沿って対となって配設されている挿通切欠部４ａ，４ｂと、前記ジグザグ板バネ２の一方の端部に設けられている押出部６と、前記ジグザグ板バネ２の他方の端部に設けられている掛止部８と、を具備することを特徴とする。
【００１３】
このような商品押出具によれば、圧縮状態において、ジグザグ板バネ２に付与される復元押出力によって吊下形商品２０を常に基端側Ｂから先端側Ａへ押し出すことが可能となる。
また、板状部３が両半部２ａ，２ｂに配列されるとともに、互い違いに接続されていることによって、ジグザグ板バネ２は略螺旋形状に巻回形成され、螺旋状バネの性質を有する。これにより、圧縮状態において、ジグザグ板バネ２は板状部３が捩れながら縮み、その巻径は拡がらない。従って、ジグザグ板バネ２の上下左右方向の嵩張りを抑えることが可能となる。
さらに、ジグザグ板バネ２が上述したように捩れながら縮むという性質を有することから、圧縮状態において、屈曲部５同士が重ならない。これにより、ジグザグ板バネ２の長手方向への嵩張りを抑えることが可能となる。
【００１４】
また、両半部２ａ，２ｂに形成されている挿通切欠部４ａ，４ｂが向い合って配置されていることによって、その中心軸線Ｘに沿って挿通孔４が形成される。これにより、商品押出具１を後述する吊下用部材へ容易に挿入して取り付けることが可能となる。
【００１５】
また、本発明の吊下形商品陳列装置は、略水平方向に延出されている吊下形商品吊り下げ用のフック棒１１と、
板状部を側面から見てジグザグ状に連ねてなるジグザグ板バネ２を要素とし、長手方向からの圧縮状態において、基端側から先端側への復元押出力が付与された商品押出具１と、を具備し、
前記ジグザグ板バネ２は、その長手方向中心軸線Ｘに沿って、略螺旋形状とされるとともに、その中心部には、該中心軸線Ｘに沿って連続する挿通孔４が形成され、前記ジグザグ板バネ２のジグザグ状屈曲部５の少なくとも一部は、該屈曲部の屈曲内面に略沿った略三角形状の小ブロック状補強部１７が介設されて一体に連結された構成とされ、
前記商品押出具１の中心挿通孔４に前記フック棒１１が挿通されることにより、商品押出具１がフック棒１１に保持されていることを特徴としている。
【００１６】
このような商品陳列装置によれば、この吊下形商品押出具１がフック棒１１に挿通保持されて商品陳列装置を構成することにより、吊下形商品押出具１の圧縮状態において付与される復元押出力を確実に基端側Ｂから先端側Ａへ向けることができる。
さらに、吊下形商品押出具１の紛失を防止することができる。
【００１７】
【発明の実施の形態】
以下、本発明の実施の形態を図面を参照して具体的に説明する。図１は本発明による吊下形商品陳列装置の実施の形態を示す斜視図、図２（ａ）は吊下形商品押出具の実施の形態を示す平面図、図２（ｂ）は同商品押出具の実施の形態を示す側面図、図２（ｃ）は同商品押出具の実施の形態を示すＡ−Ａ断面図、図３（ａ）は吊下形商品陳列装置の実施の形態を示す平面図、図３（ｂ）は同商品陳列装置の実施の形態を示す側面図、図４（ａ）は吊下形商品陳列装置の吊下状態の実施の形態を示す平面図、図４（ｂ）は同商品陳列装置の吊下状態の実施の形態を示す側面図である。
【００１８】
本発明の吊下形商品押出具は、吊下形商品２０（ブリスターパック等）を一定の方向へ向って押し出す吊下形商品押出具１である。
【００１９】
この実施の形態の吊下形商品押出具１は、ジグザグ板バネ２と、その端部にそれぞれ設けられている押出部６と、掛止部８とによって構成されている。
【００２０】
この吊下形商品押出具１の主要部分を構成するジグザグ板バネ２は、板状部３同士が略ジグザグに接続されて形成されているとともに、中心軸線Ｘに沿った挿通孔４を中心として、略螺旋形状に成形されている。
板状部３は、本実施の形態では、図１及び図２に示すように、略半楕円形の板状に形成され、その側縁３ａ，３ｂには略半楕円形に形成されている挿通切欠部４ａ，４ｂが形成され、挿通切欠部４ａ，４ｂの内縁が中心軸Ｘ方向に連続する挿通孔４とされている。
【００２１】
また、この板状部３は、図２（ａ）に示すように中心軸線Ｘを境界線として、ジグザグ板バネ２の一方に板状部３の側縁３ａが中心軸線Ｘに沿って配列され、一方の半部２ａを構成している。
さらに、他方にも同様に板状部３の側縁３ｂが中心軸線Ｘに沿って配列され、他方の半部２ｂを構成している。
また、これら各板状部３の側縁３ａ，３ｂの両端部同士が、図２（ｂ）に示すように側面視で略Ｖ字状と略逆Ｖ字状が交互に連結された略ジグザグに接続され、屈曲部５が形成されている。なお、この屈曲部５は、各板状部３の板厚分で接続されている。
【００２２】
さらに、屈曲部５の略三角内面には、ジグザグ形状が維持されるように略三角形状の小ブロックよりなる補強部１７が設けられている。本実施の形態では、図２（ｂ）に示すように、補強部１７はジグザグ形の内角部分に略三角板状に形成されている。また、補強部１７はジグザグ状屈曲部の近傍をＶ字状肉厚に形成しても良い。
【００２３】
また、このジグザグ板バネ２の両端のうち先端側Ａとなる一方の端部２ａには、略板状に形成され、中央に略円形の貫通孔１８が穿設されている押出部６が設けられている。
【００２４】
さらに、このジグザグ板バネ２の基端側Ｂとなる他方の端部２ｂには、略凹欠状の切欠部１９を有し、略逆Ｕ字板状に形成されている二叉フック状の掛止部８が設けられている。
【００２５】
なお、この実施の形態の吊下形商品押出具１の材料として、弾性力を有する硬質合成樹脂を用いる。好適な材料としてポリオキシメチレン（ポリアセタール）を用いることができる。
【００２６】
また、この実施の形態の吊下形商品押出具１の製造方法としては、成形金型を用いた射出成形によってその全体が一体に製造される。
【００２７】
この実施の形態によれば、圧縮状態において、ジグザグ板バネ２に付与される復元押出力によって吊下形商品２０を常に基端側Ｂから先端側Ａへ押し出すことが可能となる。
【００２８】
また、ジグザグ板バネ２は略螺旋形状に巻回形成され、螺旋状バネの性質を有する。これにより、このジグザグ板バネ２は、圧縮状態において、板状部３が捩れながら縮み、ジグザグ板バネ２の巻形が変わらない。従って、ジグザグ板バネ２の上下左右方向の嵩張りを抑えることが可能となる。
【００２９】
さらに、両半部２ａ，２ｂに形成されている挿通切欠部４ａ，４ｂが向い合って配置されていることによって挿通孔４が形成される。これにより、商品押出具１を後述する吊下用部材へ取り付けることが可能となる。
【００３０】
また、ジグザグ板バネ２が、上述したように捩れながら縮む性質を有することから、図４に示すように、圧縮状態において屈曲部５同士が重ならない。これにより、ジグザグ板バネ２の長手方向への嵩張りを抑えることが可能となる。
【００３１】
さらに、図３に示すように、屈曲部５に補強部１７が設けられていることによって、屈曲部５が補強される。これにより、圧縮状態において、商品押出具１は十分な反発力を得ることが可能となる。
また、屈曲部５にかかる負担を軽減することが可能となり、長期の使用においても屈曲部５が折れたり、疲労により反発力が弱くなったりすることがない。
【００３２】
さらに、押出部６が設けられることによって、吊下形商品２０を確実に先端側Ａへ押し出すことが可能となる。
また、押出部６が略円板状に形成されていることによって、商品押出具１の圧縮状態において、押出部６が回転してもその形状が変わらないため上下左右方向への突出を抑えることが可能となる。
さらに、そのため意匠的にも見栄えがよい。
【００３３】
また、掛止部８が設けられることによって、商品押出具１の端部を基端側Ｂで掛止させることが可能となる。
【００３４】
なお、上述した実施の形態では、補強部１７は、屈曲部５が形成する内角に設けられているが、屈曲部５の外角部分にこれを覆うように設けられていてもよい。これにより、上記と同様の効果が得られる。
【００３５】
また、上述した実施の形態では、押出部６は、略円板形状に形成されているが、任意の形状に形成されていてよい。この場合、幾何学的な形状などに形成されても上記と同様の効果が得られるとともに意匠的にも見栄えがよい。
【００３６】
次に、吊下形商品陳列装置１０について説明する。この実施の形態における吊下形商品陳列装置１０は、例えば、スーパーマーケットやコンビニエンスストアーなどに陳列されている吊下形商品２０を常に客側に押し出し、同商品２０を客の目に付き易くし、更に同商品２０を客の手に取り易くする。また、吊下形商品２０の並びを整えて、見栄えをよくするための装置である。図１及び図３（ａ），（ｂ）に示すように前述した吊下形商品押出具１と、フック棒１１と、取付棒１４とで構成されている。
【００３７】
フック棒１１は、略水平方向に真直な略棒状に形成されている。また、フック棒１１の先端側Ａには、フック部１２が略逆へ字状に屈曲形成されている。さらに、フック棒１１の基端側Ｂには、前脚部１３が略垂下方向に屈曲形成されている。
【００３８】
取付棒１４は、平面視で略コ字状に形成されている基部１５の両端からそれぞれ略垂下方向に屈曲形成されている後脚部１６が形成されている。
【００３９】
フック棒１１と取付棒１４は、前脚部１３と後脚部１６が略平行に並び、且つ平面視で前脚部１３を頂点とする二等辺三角形を形成するように溶接される。
【００４０】
なお、フック棒１１への吊下形商品１の取り付けは以下の手順で行う。
まず、吊下形商品押出具１を最も基端側Ｂに位置する掛止部８の切欠部１９をフック棒１１の先端のフック部１２から挿通させる。
次に、吊下形商品押出具１の基端側Ｂの挿通孔４から貫通孔１８までフック棒１１に挿通させ、吊下形商品押出具１をフック棒１１に摺動させて基端側Ｂまで押し込む。
次に、図１及び図３に示すように、掛止部８のみがフック棒１１と取付棒１４の溶接部分を跨いで、切欠部１９によってフック棒１１に掛止させ、吊下形商品押出具１のフック棒１１への取り付けが完了する。
【００４１】
また、吊下形商品陳列装置１０の前脚部１３と後脚部１６との間隙を商品陳列棚３０の桟などに嵌め込むことによって、吊下形商品陳列装置１０の店内への設置が完了する。
【００４２】
さらに、この吊下形商品陳列装置１０が取り付けられる商品陳列棚３０に掛止部８の表面が当接されることにより、先端側Ａから押されてくる吊下形商品押出具１を抑えることができる。これにより、吊下形商品押出具１は先端側Ａからの押出力に対して圧縮状態となる。
【００４３】
また、基端側Ｂから先端側Ａへの復元押出力に対しては、フック棒１１と取付棒１４の溶接部分によって掛止部７の先端側Ａへの移動が抑制されることによって、吊下形商品押出具１の先端側Ａ方向への抜け止めとなっている。
【００４４】
この吊下形商品陳列装置に、図４（ａ），（ｂ）に示すように吊下形商品２０を先端側Ａから順次吊り下げていき、吊下形商品押出具１が基端側Ａへ圧縮される。その際、吊下形商品押出具１は、フック棒１１に挿通孔４を摺動させて圧縮状態における吊下形商品押出具１の軌道を矯正している。
また、圧縮状態において、先端側の押出部６は吊下形商品２０に当接し、先端側Ａへ常に復元押出力を付与している。これによって、吊下形商品２０は常に先端側Ａへ押し出される。
さらに、フック棒１１先端に形成されているフック部１２によって、押し出された吊下形商品２０の脱落を防止している。
【００４５】
この実施の形態によれば、前述した吊下形商品押出具１を用いて吊下形商品陳列装置を構成することができる。
【００４６】
また、フック棒１１に挿通孔４を摺動させることにって、吊下形商品押出具１の圧縮状態における復元押出力を確実に基端側Ｂから先端側Ａへ向けることが可能となる。つまり、吊り下げられている吊下形商品２０を確実に客側に並べることができる。
【００４７】
さらに、掛止部８のみがフック棒１１と取付棒１４の溶接部分を跨いで取り付けられることによって、吊下形商品押出具１はフック棒の所定の位置に保持される。従って、吊下形商品押出具１の紛失を防止することができる。
【００４８】
【発明の効果】
以上説明したように本発明による吊下形商品押出具によれば、圧縮状態において、ジグザグ板バネに付与される復元押出力によって吊下形商品を常に基端側から先端側へ押し出すことができる。
また、ジグザグ板バネは略螺旋形状に巻回形成され、螺旋状バネの性質を有する。これにより、このジグザグ板バネは、圧縮状態において、板状部が捩れながら縮み、ジグザグ板バネの巻形が変わらない。従って、ジグザグ板バネの上下左右方向の嵩張りを抑えることができる。
【００４９】
さらに、挿通切欠部が向い合って配置されていることによって挿通孔が形成される。これにより、商品押出具１を後述する吊下用部材へ容易且つ確実に取り付けることができるようになる。
【００５０】
また、ジグザグ板バネが、捩れながら縮む性質を有することから、圧縮状態において屈曲部同士が重ならない。これにより、ジグザグ板バネの長手方向への嵩張りを抑えることができる。
さらに、屈曲部に補強部が設けられていることによって、商品押出具は圧縮状態において、十分な反発力を得ることができる。
また、屈曲部にかかる負担を軽減することができ、長期の使用においても屈曲部が折れたり、疲労により反発力が弱くなったりすることがない。つまり、商品押出具の延命を図ることができる。
【００５１】
さらに、押出部が設けられていることによって、吊下形商品を確実に先端側へ押し出すことができる。
また、押出部が略板状に形成されていることによって、商品押出具の圧縮状態において、押出部の上下左右方向への突出を抑えることができる。
さらに、押出部が回転してもその形状が変わらないため、意匠的にも見栄えがよい。
また、二叉掛止部が設けられていることによって、商品押出具を基端側で掛止させることでき、商品押出具の長手方向に対しての抜け止めの効果が得られる。
【００５２】
また、本発明による吊下形商品陳列装置によれば、吊下形商品押出具を用いて吊下形商品陳列装置を構成することができる。
さらに、フック棒に挿通孔を摺動させることによって、吊下形商品押出具の圧縮状態における復元押出力を確実に基端側から先端側へ向けることができる。つまり、吊り下げられている吊下形商品を確実に客側に並べることができる。
また、掛止部のみがフック棒と取付棒の溶接部分を跨いで取り付けられることによって、吊下形商品押出具はフック棒の所定の位置に保持される。従って、吊下形商品押出具の紛失を防止することができる。
【図面の簡単な説明】
【図１】本発明の吊下形商品陳列装置の一実施の形態を示す斜視図である。
【図２】（ａ）本発明の吊下形商品押出具の一実施の形態を示す平面図である。
（ｂ）本発明の吊下形商品押出具の一実施の形態を示す側面図である。
（ｃ）本発明の吊下形商品押出具の一実施の形態を示すＡ−Ａ断面図である。
【図３】（ａ）本発明の吊下形商品陳列装置の一実施の形態を示す平面図である。
（ｂ）本発明の吊下形商品陳列装置の一実施の形態を示す側面図である。
【図４】（ａ）本発明の吊下形商品陳列装置の一実施の形態を示す平面図である。
（ｂ）本発明の吊下形商品陳列装置の一実施の形態を示す側面図である。
【図５】（ａ）従来の吊下形商品押出具の一実施の形態を示す斜視図である。
（ｂ）従来の吊下形商品押出具の一実施の形態を示す斜視図である。
（ｃ）従来の吊下形商品押出具の一実施の形態を示す斜視図である。
【図６】従来の吊下形商品押出具の他の一形態を示す斜視図である。
【符号の説明】
１…吊下形商品押出具
２…ジグザグ板バネ
２ａ…一方の半部
２ｂ…他方の半部
３…板状部
３ａ，３ｂ…側縁
４…挿通孔
４ａ，４ｂ…挿通切欠部
５…屈曲部
６…押出部
８…掛止部
１１…フック棒
１７…補強部
１８…貫通孔
２０…吊下形商品
Ａ…先端側
Ｂ…基端側
Ｘ…中心軸線
【図１】
2004215700.tif 000003
【図２】
2004215700.tif 000004
【図３】
2004215700.tif 000005
【図４】
2004215700.tif 000006
【図５】
2004215700.tif 000007
【図６】
2004215700.tif 000008